(57)【特許請求の範囲】
【請求項１】
サッカーのゴールラインとこのゴールラインに続くタッチラインの後部に張り巡らされたバックネットと、そのバックネットの内側に、バックネットにあたって落ちたボールを移動回収するために周設されたボール集積回路と、ボール集積回路により移動回収されたボールが集積されるボール保管庫と、ボール保管庫から配球されるボールをフィールド内にいる選手に対し発射するボール発射装置を備え、また、タッチライン、ゴールラインに中空格子状のキック指示壁が立設され、各々のキック指示壁の縁枠に、制御器により自動的にランダム点灯する小電球数個が定置され、さらに、凸面の防御盾と凹面の防御盾が備えられたことを特徴とするサッカー練習装置。
【請求項２】
ボール発射装置は、キックバットと、このキックバットを回転させる回転盤と、一端が固定盤とまた他端がキックバットとに連結されたスプリングと、所定のボール着地場所にボールが着地すると通電してキックバットを元の再発射位置に回転させて戻す電源スイッチＡと、キックバットが元の再発射位置に戻ると電源を切断する電源スイッチＢ２３とを備え、よって前記所定のボール着地場所にボールが着地すると電源スイッチＡが通電してキックバットは元の再発射位置に回転して戻り、スプリングは伸び、また、キックバットが元の再発射位置に戻ると電源スイッチＢ２３の電源が切断し、回転盤とキックバットは逆転し、スプリングは縮みその反発で前記所定のボール着地場所にあるボールをキックバットで圧出発射させるようにしたことを特徴とする請求項１記載のサッカー練習装置。
【請求項３】
タッチライン、ゴールラインに中空格子状のキック指示壁が立設され、各々のキック指示壁の縁枠に、制御器により自動的にランダム点灯する小電球数個が定置されたことを特徴とするサッカー練習装置。
【請求項４】
ゴールポストの縁枠に、制御器により自動的にランダム点灯する小電球数個が定置されたことを特徴とする請求項３記載のサッカー練習装置。
【請求項５】
表裏一体に組み合わせた凸面防御盾と凹面防御盾と、この凸面防御盾と凹面防御盾とを回転させる回転軸および回転盤が備えられたことを特徴とするサッカー練習装置。
【発明の詳細な説明】
【技術分野】
【０００１】
本発明は、サッカーの練習に欠かせない問題として、ゴールシュート、へディング、パスがある、その練習方法に関する。それらの課題について、練習用コート、ボール回収装置、ボール発射装置を備えたサッカー練習装置に関する。
【０００２】
サッカー練習には、センターキック、ヘディング、コーナ―キック、バウンドしたボールを瞬時にキック、サイドから来るボールの処理等々が必要不可欠な要素であり、それらの練習を一人でも練習出来る為の機器の開発をしたものである。
【０００３】
練習場にゴールポストを設け、その後方にバックネットを備え、バックネットの内側にボール回収路(傾斜状)を設け、蹴り終ったボールが回収され、回収されたボールはコンベア式によって、発射機に返送する、自動式サッカー練習装置である。
【０００４】
今まで、一般的にゴールポストに対しシュートの練習をする場合、自分で回収する必要があるが、それでは時間的な無駄がある。例えば、一日１００本のシュートの練習する、ゴールポストの右、左、中央にキック、又はカーブ球を蹴ると言った方法には、身体に記憶させる必要がある。その為、本発明は、無駄な時間を省き一人でも練習出来る全自動サッカー練習装置としている。
【０００５】
発射装置により選手に発射されたボールが選手自身の判断でパスをするか、シュートするかを機器によって指示する方法を考案した。それは、図1で示す通り、ゴールライン3aおよびタッチライン3cにキック指示壁６（格子状の枠組壁、枠内は空白、ゴールポストについてはゴールポスト枠を利用する）を設け、その枠の周囲に小電球数個を施し、各々別枠組ごとに、自動的にランダムに点灯（光電子センサーの制御器）する、その瞬間にその枠に向かって、シュート又パスをする自動式サッカー練習装置である。尚、図１に示されるように、キック指示壁６の格子状の枠内の空白は中空の意である。ボールはこの中空格子状の中空枠内を通過してネットにあたってボール集積回路に落ちる。以下同じ。また、格子状は桝目状と言い換えることができる。
【背景技術】
【０００６】
これまで、サッカー練習機はリフティング、ヘディングの練習機はある。発射装置については、他のスポーツに種々の練習のための装置は一部開発されているが、本発明のボール発射、回収、再度発射等々を含めた自動練習装置は、いまだ見当たらない。                                                  
【先行技術文献】
【特許文献】
【０００７】
【特許文献１】特開平０８−１３１５９３
【発明の概要】
【発明が解決しょうとする課題】
【０００８】
上記の特許文献に関するサッカー用練習機は、リフティング、ヘディング等々の練習のため、フレームにボールを吊紐で吊り下げ、ボールを自由動出来る、装置である、其れだけでは基本的な練習にならない。
【０００９】
サッカーの試合と同様に、フリーなかたちで技術の練習が出来る。
又は、シューテングの練習の場合ゴールポストの右、左、カーブ等々に集中して練習に最適な機器の開発が必要である。
【００１０】
サッカーの本来、勝利の目的はゴールであって、シュートによるもので、その為にあらゆる方法によって勝利を得るものである、その方法とは、練習である。シュート、パス、ヘディング等々の技術を本能的に身体に記憶させる練習用機器が必要である。
【課題を解決するための手段】
【００１１】
上記課題を解決するため、本発明はフイールド１にゴールポスト２，バックネット３，ボール発射装置４A，ボール回収装置4aを具設する。
【００１２】
ボール発射装置４Aにコンベア式ボール回収装置4a,ボール集積庫4c,ボール回収路10（傾斜状）を備え、かつ、フイールド１のゴールライン3a、タッチライン3c,にキック指示壁（格子状の枠組壁）６を備え、指示灯6aがランダムに点灯する。  
【００１３】
ボール発射装置４Ａ,４Ｂには、コンベア式ボール回収装置4a、ボール集積庫4c、ボール回収路１０が付設する。
【００１４】
蹴り終えたボールはボール回収路１０を経由し関連したコンベア式ボ
ール回収装置4aによってボールはボール集積庫4cに留め置く。  
【００１５】
コンベア式ボール回収装置4aは回収ボールを回転するベルトのボール受棚１２に載せ、ベルト１３の回転にて、ボール集積庫4cに移行保管する。
【００１６】
発射装置４A型式（図４）
発射装置４A型式を説明する。コンベア式ボール回収装置4aよりボール集積庫4cに保管されたボールは、ボール落下路コース１５，１５aを通過して所定のボール着地場所２５に収まる、同時に電源スイチがONとなり、回転式ボール圧縮発射装置２９が可動し、回転式押出式発射バット30aが同時に連結して、圧縮したボールをフイールド１の所定の場所に発射配置する。
回転式ボール圧縮発射装置３０は円形式で円形の周囲はソフトな素材を用いて圧縮を拡大させる、ボール押出式発射バット30aによってボールは発射される。
【発明を実施するための最良の形態】
【００１７】
発射装置４B型（図５）
図5はコンベア式ボール回収装置4aを経由して、ボール集積庫4cに保管し、その集積庫4cより、ボールを落着させる。一端が固定盤とまた他端がキックバットとに連結されたスプリングが縮退自在に設けられている。ボールが落着すると同時に電源スイチ22AはONとなり、回転盤２4が回転し電源巡回路27を経て、電源スイッチ23Bにて電源を切断し元の位置に戻り再発射の態勢に戻る。電源スイッチ23Bの電源が切断され回転盤25が逆回転しキックバット19がそれに伴い逆回転するが、同時にスプリング２１が作動して縮み（移動後退し）、そのスプリング２１の弾発力、その反動でキックバット19は圧出されてボールにあたって発射させる。図１実施例では発射装置４A型式を示しているが、この発射装置４Ｂ型式も使用することができる。
【００１８】
サッカーの練習に欠かせない問題に一人でも練習が出来る装置が必要である。本発明はゴールポスト２，バックネット３，さらに、ゴールライン3a、タッチライン3c側に、キック指示壁（格子状の枠組み壁）６を備え、パスやキックを指示する。キック指示壁はランダムに表示点灯し、そこにキックする。蹴り終えたボールをボール回収路１０を経て、コンベヤ式ボール回収装置4aよりボール発射装置４A，4Bへ配球する全自動のサッカー練習装置である。
【００１９】
ゴールキックの練習には、ゴールポスト２に向って、中央に、サイドコーナーに、ストレートキックやカーブキック等々を集中して練習できる事が最大の練習である、その為の練習装置を開発した、
【００２０】
上記について、詳細に説明すると、選手がゴールシュートに自信がなく、隣りの選手にパスしてしまう、その瞬間に相手側の選手が守りに入り、シュート不能となる、それは、常にシュートの練習を数多く行なっていない事が原因である、その為、本発明は一人でもシュート等の練習が出来る機器が必要である。
さらに、パス及びシュートの技術を最大限に発揮させるには、身体が本能的に感化する事に対して、自動式サッカー練習装置を開発した。
【００２１】
防御盾は(1)凸面防御盾：(2)凹面防御盾：(3)前記２器を表裏に統合した盾である。
(1)凸面防御盾３１について説明する。(1)凸面防御盾３１にボールが当たると反覆し、ボールは手前側にフライなり戻る、それをヘディングでシュートの練習用具。
(2)凹面防御盾３２について説明する。凹面防御盾３２にボールを当てると種々多彩なボールが発生し、偶発的なボールを瞬時にシュートの練習をする用具。
(3)合併形式（図６Z）について説明すると、凸面防御盾３１と凹面防御盾３２を表裏一体に組合せ、回転軸３３、回転盤３５により相互に変更が可能な構造となっている。
尚、この実施例では、凸面防御盾３１は反り身型、凹面防御盾３２
は弓なり形としている。図１の実施例では、ゴールポスト全面の位置７に複数配置させている。
上記(1)(2)(3)それらに、ボールを当てると、反動でフライとなり反対側にボールが戻る、その返球ボールをヘディング又はフェントしてシュート又はドリブルする為のサッカー練習装置である。
【００２２】
この実施例では、ボール回収路１０は最寄りのコンベア式ボール回収装置4aに向かって傾斜状で自然の流れを利用してボールを移動回収する方法である、これには、地面を堀削ることになる、だが、場合によっては掘削しない方法で、平行な電動式によるコンベア方式にする事は可能である。
【００２３】
センターキック、ヘディング、コーナ―キック、バウンドしたボールを瞬時にキック、サイドから来るボールの処理等々が必要不可欠な要素であり、それらの練習を一人でも練習出来る。
【図面の簡単な説明】
【００２４】
【図１】サッカーフイールドの半分周辺の概念図である。
【図２】コンベア式ボール回収装置とキック表示壁６の全体図である。
【図３】コンベア式ボール回収装置及びボール集積庫、発射装置の全体図である。
【図４】発射装置A型式の(1平面図と(2)側面図である。
【図５】発射装置B型式の(1)平面図と(2)側面図である。
【図６】６Xは凹面形防御盾の斜面図、6Yは凸面形防御盾の斜面図、６Zは凹面形防御盾と凸面形防御盾を合併した一部断面正面図である。
【実施例１】
【００２５】
以下実施例を説明する。
本発明は、図１〜図６を用いて説明する。
図１は、フイールド１にゴールポスト２、バックネット３，コンベア式ボール回収装置4a,ボール発射装置４A、防御盾８、キック指示壁６、ボール回収路１０の配置図である。
【００２６】
図２は、キック指示壁６、ボール回収路１０（傾斜状）コンベア式ボール回収装置4a,ボール受棚１２にのせてボール集積庫4c,にボールを集積する配置図である。
【００２７】
図３は、ボール回収路１０,コンベア式回収装置4a、ボール発射装置B型の概略図である。発射装置については別途に下記説明する。
【００２８】
図４は、発射装置A型式で、ボール集積庫4cに集積されたボールを定位置に落着させ、定着すると同時に電源がONとなり、回転ボール圧縮発射装置２９が可動回転し圧縮しながら、回転押出式発射バット30aと連係しボールをフイールド１に発射する装置である
【００２９】
図５は、発射装置B型式で、その平面図と側面図で、キックバット方式図である。
【００３０】
図６は、防御盾８に関する図面で、６Xは凹面防御盾３１、６Yは凹面防御盾３２、６Zは前記２盾の表裏に合併型盾の図である。
【産業上の利用可能性】
【００３１】
世界の総人口は７０億人、世界のサッカー人口は１６億人で、世界の登録されたサッカー人口は２億７千万人と言われている。世界で本案のようなサッカー練習システム装置は存在していない、これは、世界に提供できる製品と確信しております。本案は、大量生産が可能であり低価格で、提供できる様に構成されており充分に社会に貢献できる。
【符号の説明】
【００３２】
１      フイールド
２      ゴールポスト
３      バックネット
3a      ゴールライン
3c      タッチライン
４A       ボール発射装置
4a      コンベア式ボール回収装置
4c      ボール集積庫
５      ボール発射筒
６      キック表示壁（格子状の枠組壁）
７      ハーフライン
８      防御盾の配置場所
９      ぺナルティーマーク
１０      ボール回収路（斜傾状）
１１      サッカーボール
１２      ボール受棚
１３      ベルト
１４      モーター
１５      ボール落下路コース
１６      回転式発射機
１７      ベルト回転軸
１８      ボール進入遮断部品
１９      キックバット
２０      キックバット回転軸
２１      スプリング
２２A    電源スイッチ（ＯＮ）
２３B    電源スイッチ（ＯＦＦ）
２４      回転盤
２５      所定のボール着地場所
２６      固定盤
２７      電源巡回路（ＯＮ：ＯＦＦの巡回経路）
２８      スイッチボタン
２９      ボール圧縮発射装置
３０      回転式押出式発射用具
３０a     ボール押出式発射バット
３１      凹面防御盾
３２      凸面防御盾
３４      床盤
３３      回転軸
３４      床盤
３５      回転盤
【要約】      （修正有）【課題】単独でも練習が出来る、全自動式のサッカー練習機システム装置を提供する。【解決手段】練習場にゴールポスト２を設けその周囲に柵を設ける、その柵の下部辺にボール回収路１０を設置し、コンベア式ボール回収装置４ａにより、蹴り終ったボールを回収する。そのボールは、ボール発射装置４Ａに搬送され、フイールド１に向って発射装置より再度ボールを発射する。さらに、ゴールとその周辺に桝目状の枠を設け、その枠の周りにランダムに電球が点灯し、その点灯した枠に向かって、パスを行う、また、ゴールポストに向かってシュートする。さらに、ゴールポストの前面周辺に防御盾８を備えた構造で、ボールが防御盾に当たると反覆、ボールはフライなりヘッデングシュート等々の練習で、又は反覆による種々多彩なボールが発生し些細なボールの練習に役立つし、少人数でも練習できる。【選択図】図１【図１】
0005969665.tif 000002
【図２】
0005969665.tif 000003
【図３】
0005969665.tif 000004
【図５】
0005969665.tif 000005
【図４】
0005969665.tif 000006
【図６】
0005969665.tif 000007